(57)【要約】無線通信環境において、アップリンク遅延バジェット関連フィードバックをシグナリングすること、および／または、利用することを容易にするシステムおよび方法が記載される。アクセス端末のバッファに保持された、最も緊急なラジオ・リンク制御（ＲＬＣ）サービス・データ・ユニット（ＳＤＵ）に関連付けられた最低の遅延バジェットが決定されうる。さらに、媒体アクセス制御（ＭＡＣ）ヘッダの一部（例えば、予約の２ビット）が、最も低い遅延バジェットに対応する遅延しきい値に関連する符号を搬送するために設定される。さらに、ＭＡＣヘッダが基地局へ転送されうる。基地局は、ＭＡＣヘッダの一部によって搬送された符号を検出しうる。そして、検出された符号に応じて（例えば、ラジオ・ベアラ特有のマッピングを用いて）、遅延しきい値が決定されうる。例によれば、アクセス端末は、遅延しきい値に応じて、アップリンク送信のためにスケジュールされうる。
2011511587.tif 000002
【特許請求の範囲】
【請求項１】
無線通信環境において、アップリンク遅延バジェット・フィードバックを提供することを容易にする方法であって、
複数のラジオ・リンク制御（ＲＬＣ）サービス・データ・ユニット（ＳＤＵ）から最低の遅延バジェットを決定することと、
前記最低の遅延バジェットの遅延しきい値に対応する少なくとも１つの符号を含むために媒体アクセス制御（ＭＡＣ）ヘッダの一部を設定することと、
前記ＭＡＣヘッダを基地局へ送信することと
を備える方法。
【請求項２】
前記最低の遅延バジェットは、前記複数のＲＬＣ  ＳＤＵから最初に送信されるべきＲＬＣ  ＳＤＵに対応するヘッド・オブ・ライン遅延バジェットである請求項１に記載の方法。
【請求項３】
前記少なくとも１つの符号を含むようにＭＡＣヘッダの一部を設定することはさらに、ラジオ・ベアラ内の最初に送信されるべきＲＬＣ  ＳＤＵに関連付けられた遅延しきい値を示すために、前記ＭＡＣヘッダ内に、予約された２ビットの値を設定することを備える請求項１に記載の方法。
【請求項４】
前記少なくとも１つの符号を含むようにＭＡＣヘッダの一部を設定することはさらに、現在の伝送ブロックに含まれていないＲＬＣ  ＳＤＵの残りの遅延バジェットにしたがって、前記ＭＡＣヘッダ内に、予約された２ビットの値を設定することを備える請求項１に記載の方法。
【請求項５】
前記ＭＡＣヘッダ内に含めるための前記少なくとも１つの符号のうちの１または複数を、遅延しきい値と符号との間のマッピングに基づいて選択することをさらに備える請求項１に記載の方法。
【請求項６】
おのおののラジオ・ベアラが、遅延しきい値と符号との間のそれぞれのマッピングに関連付けられている請求項５に記載の方法。
【請求項７】
４つの遅延しきい値のおのおのを、４つの符号のうちのそれぞれ１つに関連付けるために、前記マッピングが、ラジオ・ベアラ毎にラジオ・リソース制御（ＲＲＣ）によって設定される請求項５に記載の方法。
【請求項８】
特定のラジオ・ベアラへ１対１にマップされた論理チャネル識別子を、前記ＭＡＣヘッダ内に組み込むことと、
前記少なくとも１つの符号のうち、前記ＭＡＣヘッダ内に含める１または複数を選択するために、前記特定のラジオ・ベアラに対応する符号と、遅延しきい値との間の特定のマッピングを利用することと
をさらに備える請求項５に記載の方法。
【請求項９】
無線通信装置であって、
複数のラジオ・リンク制御（ＲＬＣ）サービス・データ・ユニット（ＳＤＵ）から最低の遅延バジェットを識別することと、
前記最低の遅延バジェットの遅延しきい値に対応する少なくとも１つの符号を含むように媒体アクセス制御（ＭＡＣ）ヘッダの一部を設定することと、
前記ＭＡＣヘッダを基地局へ送信することと
に関連する命令群を保持するメモリと、
前記メモリに接続され、前記メモリに保持された命令群を実行するように構成されたプロセッサと
を備える無線通信装置。
【請求項１０】
前記メモリはさらに、ラジオ・ベアラ内の最初に送信されるべきＲＬＣ  ＳＤＵに関連付けられた遅延しきい値を示すために、前記ＭＡＣヘッダ内に、予約された２ビットの値を設定することに関連する命令群を保持する請求項９に記載の無線通信装置。
【請求項１１】
前記メモリはさらに、現在の伝送ブロックに含まれていないＲＬＣ  ＳＤＵの残りの遅延バジェットにしたがって、前記ＭＡＣヘッダ内に、予約された２ビットの値を設定することに関連する命令群を保持する請求項９に記載の無線通信装置。
【請求項１２】
前記メモリはさらに、前記ＭＡＣヘッダ内に含めるための前記少なくとも１つの符号のうちの１または複数を、遅延しきい値と符号との間のマッピングに基づいて選択することに関連する命令群を保持する請求項９に記載の無線通信装置。
【請求項１３】
前記マッピングは、４つの遅延しきい値のおのおのを、４つの符号のうちのそれぞれ１つに関連付けるために、ラジオ・ベアラ毎にラジオ・リソース制御（ＲＲＣ）によって設定される請求項１２に記載の無線通信装置。
【請求項１４】
前記メモリはさらに、
特定のラジオ・ベアラへ１対１にマップされた論理チャネル識別子を、前記ＭＡＣヘッダ内に組み込むことと、
前記少なくとも１つの符号のうち、前記ＭＡＣヘッダ内に含める１または複数を選択するために、前記特定のラジオ・ベアラに対応する符号と、遅延しきい値との間の特定のマッピングを利用することと
に関連する命令群を保持する請求項１２に記載の無線通信装置。
【請求項１５】
無線通信環境において、遅延バジェットに関連するフィードバックを基地局へシグナリングすることを可能にする無線通信装置であって、
アップリンク送信を待つバッファ内に保持されたラジオ・リンク制御（ＲＬＣ）サービス・データ・ユニット（ＳＤＵ）のセットから、最低の遅延バジェットを持つＲＬＣ  ＳＤＵを識別する手段と、
前記最低の遅延バジェットに関連付けられた遅延しきい値に対応する符号を含むように媒体アクセス制御（ＭＡＣ）ヘッダの一部を設定する手段と、
前記ＭＡＣヘッダを基地局へ送信する手段と
を備える無線通信装置。
【請求項１６】
前記ＭＡＣヘッダの一部は、予約された２ビットである請求項１５に記載の無線通信装置。
【請求項１７】
前記予約された２ビットは、ラジオ・ベアラ内の最初に送信されるべき、最低の遅延バジェットを持つＲＬＣ  ＳＤＵに関連付けられた遅延しきい値を示す請求項１６に記載の無線通信装置。
【請求項１８】
前記予約された２ビットは、現在の伝送ブロックから除外された最低の遅延バジェットを持つＲＬＣ  ＳＤＵに関連付けられた遅延しきい値を示す請求項１６に記載の無線通信装置。
【請求項１９】
前記ＭＡＣヘッダ内に含めるための符号を、遅延しきい値と符号との間のマッピングに基づいて選択する手段をさらに備える請求項１５に記載の無線通信装置。
【請求項２０】
前記マッピングは、４つの遅延しきい値のおのおのを、４つの符号のうちのそれぞれ１つに関連付けるために、ラジオ・ベアラ毎にラジオ・リソース制御（ＲＲＣ）によって設定される請求項１９に記載の無線通信装置。
【請求項２１】
コンピュータ読取可能媒体を備えるコンピュータ・プログラム製品であって、
前記コンピュータ読取可能媒体は、
アップリンク送信を待つバッファ内に保持されたラジオ・リンク制御（ＲＬＣ）サービス・データ・ユニット（ＳＤＵ）のセットから、最低の遅延バジェットを持つＲＬＣ  ＳＤＵを識別するためのコードと、
前記最低の遅延バジェットに関連付けられた遅延しきい値を示すために、媒体アクセス制御（ＭＡＣ）ヘッダ内に含まれる予約された２ビットの値を設定するためのコードと、
前記ＭＡＣヘッダを基地局へ送信するためのコードと
を備えるコンピュータ・プログラム製品。
【請求項２２】
前記ＭＡＣヘッダに含まれる予約された２ビットの値は、ラジオ・ベアラ内の最初に送信されるべき、最低の遅延バジェットを持つＲＬＣ  ＳＤＵに関連付けられた遅延しきい値を示す請求項２１に記載のコンピュータ・プログラム製品。
【請求項２３】
前記ＭＡＣヘッダに含まれる予約された２ビットの値は、現在の伝送ブロックから除外された最低の遅延バジェットを持つＲＬＣ  ＳＤＵに関連付けられた遅延しきい値を示す請求項２１に記載のコンピュータ・プログラム製品。
【請求項２４】
前記コンピュータ読取可能媒体はさらに、前記予約された２ビットの値を、ラジオ・ベアラ毎のラジオ・リソース制御（ＲＲＣ）によって設定されたマッピングに応じて選択するためのコードを備える請求項２１に記載のコンピュータ・プログラム製品。
【請求項２５】
無線通信システムにおける装置であって、
複数のラジオ・リンク制御（ＲＬＣ）サービス・データ・ユニット（ＳＤＵ）から、最低の遅延バジェットを決定し、
前記最低の遅延バジェットの遅延しきい値に対応する少なくとも１つの符号を含むように、媒体アクセス制御（ＭＡＣ）ヘッダの一部を設定し、
前記ＭＡＣヘッダを基地局へ送信する
ように構成されたプロセッサを備える装置。
【請求項２６】
無線通信環境においてアップリンク遅延バジェット・フィードバックを取得することを容易にする方法であって、
アクセス端末から媒体アクセス制御（ＭＡＣ）ヘッダを受信することと、
前記ＭＡＣヘッダの一部によって搬送された符号を検出することと、
前記符号に対応する遅延しきい値を決定することとを備え、
前記遅延しきい値は、前記アクセス端末のバッファ内に保持されたラジオ・リンク制御（ＲＬＣ）サービス・データ・ユニット（ＳＤＵ）のセットからの、特定のＲＬＣ  ＳＤＵに関連付けられた最低の遅延バジェットを含む範囲であり、
前記方法はさらに、
少なくとも部分的に前記遅延しきい値に基づいて、アップリンク送信のために前記アクセス端末をスケジュールすることを備える方法。
【請求項２７】
前記符号は、前記ＭＡＣヘッダの予約された２ビットによって搬送される請求項２６に記載の方法。
【請求項２８】
前記ＭＡＣヘッダの予約された２ビットの値は、現在の伝送ブロックから除外された特定のＲＬＣ  ＳＤＵに関連付けられた遅延しきい値を示す請求項２６に記載の方法。
【請求項２９】
遅延しきい値と符号との間のマッピングを適用することによって、前記符号に対応する遅延しきい値を決定することをさらに備える請求項２６に記載の方法。
【請求項３０】
前記マッピングは、特定のラジオ・ベアラに関連付けられており、ラジオ・リソース制御（ＲＲＣ）によって設定される請求項２９に記載の方法。
【請求項３１】
無線通信装置であって、
命令群を保持するメモリと、
前記メモリに接続され、前記メモリに保持された命令群を実行するように構成されたプロセッサとを備え、
前記命令群は、
アクセス端末から受信した媒体アクセス制御（ＭＡＣ）ヘッダの一部によって搬送された符号を検出することと、
前記符号に対応する遅延しきい値を決定することとに関連しており、
前記遅延しきい値は、前記アクセス端末のバッファ内に保持されたラジオ・リンク制御（ＲＬＣ）サービス・データ・ユニット（ＳＤＵ）の遅延バジェットに関連しており、
前記命令群はさらに、少なくとも部分的に前記遅延しきい値に基づいて、アップリンク送信のために前記アクセス端末をスケジュールすることに関連している無線通信装置。
【請求項３２】
前記符号は、前記ＭＡＣヘッダの予約された２ビットによって搬送される請求項３１に記載の無線通信装置。
【請求項３３】
前記ＭＡＣヘッダの予約された２ビットの値は、現在の伝送ブロックから除外されたＲＬＣ  ＳＤＵに関連付けられた遅延しきい値を示す請求項３２に記載の無線通信装置。
【請求項３４】
ラジオ・ベアラ毎のラジオ・リソース制御（ＲＲＣ）によって設定されたマッピングが、符号に対応する遅延しきい値を識別するために適用される請求項３１に記載の無線通信装置。
【請求項３５】
無線通信環境において、遅延バジェットに関連するフィードバックをアクセス端末から取得することを可能にする無線通信装置であって、
アクセス端末から媒体アクセス制御（ＭＡＣ）ヘッダを受信する手段と、
前記ＭＡＣヘッダのビットのサブセットによって搬送された符号を検出する手段と、
前記符号に対応する遅延しきい値を判読する手段とを備え、
前記遅延しきい値は、前記アクセス端末のバッファに保持されたラジオ・リンク制御（ＲＬＣ）サービス・データ・ユニット（ＳＤＵ）のヘッド・オブ・ライン遅延バジェットに関連する無線通信装置。
【請求項３６】
前記遅延しきい値に応じて、アップリンク送信のために前記アクセス端末をスケジューリングする手段をさらに備える請求項３５に記載の無線通信装置。
【請求項３７】
前記符号に対応する遅延しきい値を識別するために、遅延しきい値と符号との間のラジオ・ベアラ特有のマッピングが適用される請求項３５に記載の無線通信装置。
【請求項３８】
コンピュータ読取可能媒体を備えるコンピュータ・プログラム製品であって、
前記コンピュータ読取可能媒体は、
アクセス端末から媒体アクセス制御（ＭＡＣ）ヘッダを受信するためのコードと、
前記ＭＡＣヘッダのビットのサブセットによって搬送された符号を検出するためのコードと、
前記符号に対応する遅延しきい値を判読するためのコードとを備え、
前記遅延しきい値は、前記アクセス端末のバッファに保持されたラジオ・リンク制御（ＲＬＣ）サービス・データ・ユニット（ＳＤＵ）のヘッド・オブ・ライン遅延バジェットに関連しており、
前記コンピュータ読取可能媒体はさらに、
前記遅延しきい値に応じて、アップリンク送信のために前記アクセス端末をスケジューリングするためのコードを備えるコンピュータ・プログラム製品
【請求項３９】
前記符号に対応する遅延しきい値を判読するために、遅延しきい値と符号との間のラジオ・ベアラ特有のマッピングが適用される請求項３８に記載のコンピュータ・プログラム製品
【請求項４０】
無線通信システムにおける装置であって、
アクセス端末から受信した媒体アクセス制御（ＭＡＣ）ヘッダに含まれる予約された２ビットによって搬送された符号を検出し、前記符号に対応する遅延しきい値を決定するように構成されたプロセッサを備え、
前記遅延しきい値は、前記アクセス端末のバッファ内に保持されたラジオ・リンク制御（ＲＬＣ）サービス・データ・ユニット（ＳＤＵ）のセットからの、特定のＲＬＣ  ＳＤＵに関連付けられた最低の遅延バジェットを含む範囲であり、
前記プロセッサはさらに、少なくとも部分的に前記遅延しきい値に基づいて、アップリンク送信のために前記アクセス端末をスケジュールするように構成された装置。
【発明の詳細な説明】
【関連出願に対する相互参照】
【０００１】
本願は、２００８年２月４日に出願された"UPLINK DELAY BUDGET FEEDBACK IN LTE"と題された米国仮出願６１／０２６，０４６号の利益を要求する。上記出願の全体は、参照によって本明細書に組み込まれる。
【技術分野】
【０００２】
以下の記載は、一般に無線通信に関し、さらに詳しくは、無線通信システムにおいてアップリンク遅延バジェット・フィードバックを提供することに関する。
【背景技術】
【０００３】
無線通信システムはさまざまなタイプの通信を提供するために広く開発され、例えば、音声および／またはデータが、そのような無線通信システムによって提供されうる。一般的な無線通信システムすなわちネットワークは、複数のユーザへ、１または複数の共有リソース（例えば、帯域幅、送信電力）に対するアクセスを提供しうる。例えば、システムは、周波数分割多重化（ＦＤＭ）、時分割多重化（ＴＤＭ）、符号分割多重化（ＣＤＭ）、直交周波数分割多重化（ＯＦＤＭ）のような様々な多元接続技術を使用することができる。
【０００４】
通常、無線多元接続通信システムは、複数のアクセス端末のための通信を同時にサポートすることができる。おのおののアクセス端末は、順方向リンクおよび逆方向リンクによる送信を介して、１または複数の基地局と通信することができる。順方向リンク（すなわち、ダウンリンク）は、基地局からアクセス端末への通信リンクを称し、逆方向リンク（すなわち、アップリンク）は、アクセス端末から基地局への通信リンクを称する。この通信リンクは、単一入力単一出力システム、複数入力単一出力システム、あるいは複数入力複数出力（ＭＩＭＯ）システムによって確立される。
【０００５】
ＭＩＭＯシステムはデータ送信のために一般に、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。さらに、複数の送信アンテナおよび受信アンテナによって生成される追加のディメンションが利用される場合、ＭＩＭＯシステムは、（例えば、高められたスペクトル効率、より高いスループット、および／またはより高い信頼性のような）向上されたパフォーマンスを与える。
【０００６】
ＭＩＭＯシステムは、順方向リンク通信および逆方向リンク通信を、共通の物理媒体によって分割するさまざまなデュプレクス技術をサポートしうる。例えば、周波数分割デュプレクス（ＦＤＤ）システムは、順方向リンク通信および逆方向リンク通信のために異なる周波数領域を利用しうる。さらに、時分割デュプレクス（ＴＤＤ）システムでは、相互原理によって、逆方向リンク・チャネルから順方向リンク・チャネルを推定できるように、順方向リンク送信および逆方向リンク送信が、同じ周波数領域にある。
【０００７】
無線通信システムはしばしば、有効範囲領域を提供する１または複数の基地局を使用する。一般的な基地局は、ブロードキャスト・サービス、マルチキャスト・サービス、および／またはユニキャスト・サービスのために、複数のデータ・ストリームを送信する。ここで、データ・ストリームは、モバイル・デバイスに対して興味のある独立した受信からなるデータのストリームでありうる。そのような基地局の有効範囲領域内のアクセス端末は、合成ストリームによって搬送される１つ、１つより多い、または全てのデータ・ストリームを受信するために適用されうる。同様に、モバイル・デバイスは、基地局あるいは他のモバイル・デバイスへデータを送信することができる。
【０００８】
ロング・ターム・イボリューション（ＬＴＥ）ベースのシステムでは、基地局は、一般に、アクセス端末のためのアップリンク送信をスケジュールする。したがって、基地局によってスケジューリングされていない場合、アクセス端末は、アップリンク送信を送信できなくなりうる。基地局は、アクセス端末におけるデータの到着を知りうる。これは、スケジューリング目的のために利用されうる。さらに、基地局は、アクセス端末がサービス品質（ＱｏＳ）要件を満たすようにアップリンク送信をスケジューリングしうる。アクセス端末をスケジューリングするために、バッファ情報に関連するフィードバックが、アクセス端末によって基地局へ提供されうる。一般に、より最新で、より正確なフィードバックは、より効率的なスケジューリングに至る。しかしながら、アクセス端末によって、アップリンクでより多くのフィードバックが送られると、より多くのオーバヘッドが利用されるというトレードオフが存在しうる。
【０００９】
従来、アクセス端末は、バッファ・ステータス・レポートを使用して、データ到着およびバッファ・サイズについて基地局に通知しうる。バッファ・ステータス・レポートは、アクセス端末に関連付けられたバッファ内に保持され基地局へ送信されるべきデータの量を示しうる。さらに、妥当なラジオ条件中にサービスを受信する平均保証レートである優先ビット・レートが、ラジオ・ベアラのために受信されたアップリンク・データの量をカウントする基地局によって実現される。このカウントに応じて、基地局は、優先ビット・レートが満足されているかを認識しうる。
【００１０】
優先ビット・レート（ＰＢＲ）は、ＱｏＳの態様になりえる。ＱｏＳの別の態様は、遅延限界でありうる。遅延限界要件を実現するために、データがアクセス端末のバッファ内で待機している間、基地局は、経過持続時間の知見を利用しうる。この情報無しでは、基地局は、遅延限界要件を満たしながら、アクセス端末を最適かつ効率的に優先度付けることはできない。しかしながら現在、遅延情報は一般に、アクセス端末から基地局へは転送されない。したがって、基地局は、バッファ・ステータス・レポートによって提供されると、アクセス端末のバッファ内のデータ量を知ることができる一方、そのようなデータがバッファ内に存在する時間の長さを知ることはできない。
【発明の概要】
【００１１】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたは全ての実施形態のスコープを線引きすることも意図されていない。その唯一の目的は、後に示されるより詳細な記載に対する前置きとして、簡略化された形式で１または複数の実施形態のいくつかの概念を表すことである。
【００１２】
１または複数の実施形態および対応する開示によれば、さまざまな態様が、無線通信環境におけるアップリンク遅延バジェットに関連するフィードバックのシグナリングおよび／または利用を容易にすることに関して記述される。アクセス端末のバッファに保持された、最も緊急なラジオ・リンク制御（ＲＬＣ）サービス・データ・ユニット（ＳＤＵ）に関連付けられた最低の遅延バジェットが決定されうる。さらに、媒体アクセス制御（ＭＡＣ）ヘッダの一部（例えば、予約された２ビット）が、最低の遅延バジェットに対応する遅延しきい値に関連する符号を搬送するように設定されうる。さらに、ＭＡＣヘッダが基地局へ転送されうる。基地局は、ＭＡＣヘッダの一部によって搬送された符号を検出しうる。そして、検出された符号に応じて（例えば、ラジオ・ベアラ特有のマッピングを用いて）、遅延しきい値が決定されうる。例によれば、アクセス端末は、遅延しきい値に応じて、アップリンク送信のためにスケジュールされうる。
【００１３】
関連する態様によれば、無線通信環境においてアップリンク遅延バジェット・フィードバックを提供することを容易にする方法が本明細書で記載される。この方法は複数のラジオ・リンク制御（ＲＬＣ）サービス・データ・ユニット（ＳＤＵ）から、最低の遅延バジェットを決定することを含みうる。さらに、この方法は、最低の遅延バジェットの遅延しきい値に対応する少なくとも１つの符号を含むように、媒体アクセス制御（ＭＡＣ）ヘッダの一部を設定することを含みうる。さらに、この方法は、基地局へＭＡＣヘッダを送信することを含みうる。
【００１４】
別の態様は、無線通信装置に関する。この無線通信装置は、複数のラジオ・リンク制御（ＲＬＣ）サービス・データ・ユニット（ＳＤＵ）から、最低の遅延バジェットを識別することと、最低の遅延バジェットの遅延しきい値に対応する少なくとも１つの符号を含むように媒体アクセス制御（ＭＡＣ）ヘッダの一部を設定することと、ＭＡＣヘッダを基地局へ送信することと、に関連する命令群を保持するメモリを含みうる。さらに、この無線通信装置は、メモリに接続され、メモリに保持された命令群を実行するように構成されたプロセッサを含みうる。
【００１５】
また、別の態様は、無線通信環境において、遅延バジェットに関連するフィードバックを基地局にシグナリングすることを可能にする無線通信装置に関する。この無線通信装置は、アップリンク送信を待つバッファ内に保持されたＲＬＣ  ＳＤＵのセットから、最低の遅延バジェットを持つラジオ・リンク制御（ＲＬＣ）サービス・データ・ユニット（ＳＤＵ）を識別する手段を含みうる。さらに、この無線通信装置は、最低の遅延バフェットに関連付けられた遅延しきい値に対応する符号を含むように媒体アクセス制御（ＭＡＣ）ヘッダの一部を設定する手段を含みうる。さらに、この無線通信装置は、基地局へＭＡＣヘッダを送信する手段を含みうる。
【００１６】
また、別の態様は、コンピュータ読取可能媒体を備えうるコンピュータ・プログラム製品に関する。このコンピュータ読取可能媒体は、アップリンク送信を待つバッファ内に保持されたＲＬＣ  ＳＤＵのセットから、最低の遅延バジェットを持つラジオ・リンク制御（ＲＬＣ）サービス・データ・ユニット（ＳＤＵ）を識別するためのコードを含みうる。さらに、このコンピュータ読取可能媒体は、最低の遅延バジェットに関連付けられた遅延しきい値を示すために、媒体アクセス制御（ＭＡＣ）ヘッダに含まれる予約された２ビットの値を設定するためのコードを含みうる。さらに、このコンピュータ読取可能媒体は、ＭＡＣヘッダを基地局へ送信するためのコードを含みうる。
【００１７】
別の態様によれば、無線通信システムにおける装置は、プロセッサを含みうる。ここでは、プロセッサは、複数のラジオ・リンク制御（ＲＬＣ）サービス・データ・ユニット（ＳＤＵ）から、最低の遅延バジェットを決定するように構成されうる。さらに、このプロセッサは、最低の遅延バジェットの遅延しきい値に対応する少なくとも１つの符号を含むように媒体アクセス制御（ＭＡＣ）ヘッダの一部を設定するように構成されうる。さらに、このプロセッサは、基地局へＭＡＣヘッダを送信するように構成されうる。
【００１８】
他の態様にしたがって、無線通信環境においてアップリンク遅延バジェット・フィードバックを取得することを容易にする方法が、本明細書に記載される。この方法は、アクセス端末から媒体アクセス制御（ＭＡＣ）ヘッダを受信することを含みうる。さらに、この方法は、ＭＡＣヘッダの一部によって搬送された符号を検出することを含みうる。さらに、この方法は、符号に対応する遅延しきい値を決定することを含みうる。この遅延しきい値は、アクセス端末のバッファに保持されたＲＬＣ  ＳＤＵのセットからの特定のラジオ・リンク制御（ＲＬＣ）サービス・データ・ユニット（ＳＤＵ）に関連付けられた最低の遅延バジェットを含む範囲である。この方法はさらに、少なくとも部分的に遅延しきい値に基づいて、アップリンク送信のためにアクセス端末をスケジュールすることを含みうる。
【００１９】
また別の態様は、アクセス端末から受信した媒体アクセス制御（ＭＡＣ）ヘッダの一部によって搬送された符号を検出することと、この符号に対応する遅延しきい値を識別することと、少なくとも部分的に遅延しきい値に基づいて、アップリンク送信のためにアクセス端末をスケジュールすること、に関連する命令群を保持するメモリを含みうる無線通信装置に関する。ここで、遅延しきい値は、アクセス端末のバッファに保持されたラジオ・リンク制御（ＲＬＣ）サービス・データ・ユニット（ＳＤＵ）の遅延バジェットに関連する。さらに、この無線通信装置は、メモリに接続され、メモリに保持された命令群を実行するように構成されたプロセッサを備えうる。
【００２０】
他の態様は、無線通信環境において、アクセス端末から、遅延バジェットに関連するフィードバックを取得することを可能にする無線通信装置に関する。この無線通信装置は、アクセス端末から媒体アクセス制御（ＭＡＣ）ヘッダを受信する手段を含みうる。さらに、この無線通信装置は、ＭＡＣヘッダのビットのサブセットによって搬送された符号を検出する手段を含みうる。さらに、この無線通信装置は、この符号に対応する遅延しきい値を判読する手段を含みうる。遅延しきい値は、アクセス端末のバッファに保持されたラジオ・リンク制御（ＲＬＣ）サービス・データ・ユニット（ＳＤＵ）のヘッド・オブ・ライン遅延バジェットに関連する。
【００２１】
また、別の態様は、コンピュータ読取可能媒体を備えうるコンピュータ・プログラム製品に関する。このコンピュータ読取可能媒体は、アクセス端末から媒体アクセス制御（ＭＡＣ）ヘッダを受信するためのコードを含みうる。さらに、このコンピュータ読取可能媒体は、ＭＡＣヘッダのビットのサブセットによって搬送された符号を検出するためのコードを含みうる。さらに、コンピュータ読取可能媒体は、この符号に対応する遅延しきい値を判読するためのコードを含みうる。遅延しきい値は、アクセス端末のバッファに保持されたラジオ・リンク制御（ＲＬＣ）サービス・データ・ユニット（ＳＤＵ）のヘッド・オブ・ライン遅延バジェットに関連する。このコンピュータ読取可能媒体はさらに、遅延しきい値に応じて、アップリンク送信のためにアクセス端末をスケジューリングするためのコードを含みうる。
【００２２】
別の態様によれば、無線通信システムにおける装置は、プロセッサを含みうる。ここで、プロセッサは、アクセス端末から受信した媒体アクセス制御（ＭＡＣ）ヘッダに含まれた予約２ビットによって搬送された符号を検出するように構成されうる。さらに、このプロセッサは、この符号に対応する遅延しきい値を決定するように構成されうる。この遅延しきい値は、アクセス端末のバッファに保持されたＲＬＣ  ＳＤＵのセットからの特定のラジオ・リンク制御（ＲＬＣ）サービス・データ・ユニット（ＳＤＵ）に関連付けられた最低の遅延バジェットを含む範囲である。さらに、このプロセッサは、少なくとも部分的に遅延しきい値に基づいて、アップリンク送信のためにアクセス端末をスケジュールするように構成されうる。
【００２３】
前述した目的および関連する目的を達成するために、１または複数の実施形態は、以下に十分説明され、特に特許請求の範囲で指摘される特徴を備える。本明細書に記述された以下の説明および添付図面は、１または複数の実施形態のある実例となる態様を詳述する。しかしながら、これらの態様は、さまざまな実施形態の原理が適用されるさまざまな方法のうちの僅かしか示しておらず、記載された実施形態は、そのような全ての局面およびそれらの均等物を示すことが意図されている。
【図面の簡単な説明】
【００２４】
【図１】図１は、本明細書に記載されたさまざまな態様にしたがう無線通信システムの実例である。
【図２】図２は、無線通信環境において、アップリンク遅延バジェット・フィードバックを転送し使用するシステムの実例である。
【図３】図３は、無線通信環境において、ラジオ・ベアラ（ＲＢ）特有の遅延しきい値を形成するシステムの実例である。
【図４】図４は、無線通信環境において、アップリンク遅延バジェット・フィードバックを提供することを容易にする方法の実例である。
【図５】図５は、無線通信環境において、アップリンク遅延バジェット・フィードバックを取得することを容易にする方法の実例である。
【図６】図６は、無線通信システムにおいて、アップリンク遅延バジェット・フィードバックを生成するアクセス端末の実例である。
【図７】図７は、無線通信環境において、アップリンク遅延バジェット・フィードバックを適用するシステムの実例である。
【図８】図８は、本明細書で開示されたされたさまざまなシステムおよび方法と共に適用されうる無線ネットワーク環境の実例である。
【図９】図９は、無線通信環境において、基地局へ遅延バジェットに関連するフィードバックをシグナリングすることを容易にするシステムの実例である。
【図１０】図１０は、無線通信環境において、アクセス端末から、遅延バジェットに関連するフィードバックを取得することを容易にするシステムの実例である。
【発明を実施するための形態】
【００２５】
さまざまな実施形態が、全体を通じて同一要素を示すために同一の参照番号が使用される図面を参照して説明される。次の記述では、説明の目的のために、多数の特定の詳細が、１または複数の実施形態についての完全な理解を提供するために記述される。しかしながら、そのような実施形態は、これら具体的な詳細なしで実現されうることが明白でありうる。他の事例では、１または複数の実施形態の記載を容易にするために、周知の構成およびデバイスがブロック図形式で示される。
【００２６】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような）１または複数のデータのパケットを有する信号にしたがって、ローカル処理および／またはリモート処理によって通信することができる。
【００２７】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ）のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。
【００２８】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さをしている。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２９】
さらに、本明細書ではさまざまな実施形態が、アクセス端末に関連して記載される。アクセス端末はまた、システム、加入者ユニット、加入者局、モバイル局、モバイル、遠隔局、遠隔端末、モバイル・デバイス、ユーザ端末、端末、無線通信デバイス、ユーザ・エージェント、ユーザ・デバイス、またはユーザ機器（ＵＥ）とも称されうる。アクセス端末は、セルラ電話、コードレス電話、セッション初期化プロトコル（ＳＩＰ）電話、ワイヤレス・ローカル・ループ（ＷＬＬ）局、携帯情報端末（ＰＤＡ）、無線接続機能を有するハンドヘルド・デバイス、コンピューティング・デバイス、あるいは無線モデムに接続されたその他の処理デバイスでありうる。さらに、本明細書では、さまざまな実施形態が、基地局に関連して記載される。基地局は、アクセス端末と通信するために利用することができ、アクセス・ポイント、ノードＢ、イボルブド・ノードＢ（ｅＮｏｄｅＢ）、あるいはその他のいくつかの用語で称されうる。
【００３０】
本明細書に記載されたさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００３１】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。２本のアンテナが各アンテナ・グループのために例示されているが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００３２】
基地局１０２は、アクセス端末１１６およびアクセス端末１２２のような１または複数アクセス端末と通信しうる。しかしながら、基地局１０２は、アクセス端末１１６、１２２に類似した実質的に任意の数のアクセス端末と通信しうることが認識されるべきである。アクセス端末１１６およびアクセス端末１２２は、例えば、セルラ電話、スマート・フォン、ラップトップ、ハンドヘルド通信デバイス、ハンドヘルド・コンピューティング・デバイス、衛星ラジオ、全地球測位システム、ＰＤＡ、および／または、無線通信システム１００による通信に適したその他任意のデバイスでありうる。図示するように、アクセス端末１１６は、アンテナ１１２、１１４と通信しており、ここでは、アンテナ１１２およびアンテナ１１４が、順方向リンク１１８によってアクセス端末１１６へ情報を送信し、逆方向リンク１２０によってアクセス端末１１６から情報を受信する。さらに、アクセス端末１２２は、アンテナ１０４、１０６と通信しており、ここでは、アンテナ１０４およびアンテナ１０６が、順方向リンク１２４によってアクセス端末１２２へ情報を送信し、逆方向リンク１２６によってアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００３３】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したアクセス端末１１６、１２２に送信するためにビームフォーミングを利用している間、近隣セル内のモバイル・デバイスは、すべてのアクセス端末に対して単一のアンテナによって送信している基地局に比べて、少ない干渉しか被らない。
【００３４】
システム１００は、アクセス端末１１６、１２２から基地局１０２へ、遅延関連情報（例えば、遅延バジェット）を転送することを可能にする。アップリンク送信のためにアクセス端末１１６、１２２をスケジューリングする場合、基地局１０２は、この遅延関連情報を利用しうる。例えば、この遅延関連情報は、（例えば、アクセス端末１１６、アクセス端末１２２のような）特定のアクセス端末に関連付けられたバッファにおいてデータが待つ時間の長さに関連しうる。データは、アップリンクによって基地局１０２へと転送されるのを待つ間、バッファ内に保持されうる。基地局１０２は、それぞれの遅延限界要件を満たしながら、アクセス端末１１６、１２２からのアップリンク送信を最適および／または効率的に優先度付けるために、遅延関連情報を導入しうる。この遅延限界要件は、例えば、サービス品質（ＱｏＳ）属性の一部として指定されうる。
【００３５】
遅延関連情報に加えて、アクセス端末１１６およびアクセス端末１２２は、バッファ・ステータス・レポートを用いて、データ到着およびバッファ・サイズに関連する情報をフィードバックしうる。さらに、アップリンク送信のスケジューリングが、例えばスループット（たとえば、優先ビット・レート（ＰＢＲ）、最大ビット・レート（ＭＢＲ）、保証ビット・レート（ＧＢＲ））、ビット誤り率等のようなＱｏＳ属性のその他の要因をさらにおよび／または代わりに満足するために、基地局１０２によって有効とされうる。
【００３６】
図２に示すように、無線通信環境において、アップリンク遅延バジェット・フィードバックを転送し使用するシステム２００が例示されている。システム２００は、情報、信号、データ、命令、コマンド、ビット、シンボル等を送信および／または受信しうるアクセス端末２０２を含む。アクセス端末２０２は、順方向リンクおよび／または逆方向リンクを介して基地局２０４と通信しうる。基地局２０４は、情報、信号、データ、命令、コマンド、ビット、シンボル等を送信および／または受信しうる。さらに、図示していないが、アクセス端末２０２に類似の任意の数のアクセス端末が、システム２００に含まれるか、および／または、基地局２０４に類似の任意の数の基地局が、システム２００に含まれうることが考慮される。例示によれば、システム２００は、ロング・ターム・イボリューション（ＬＴＥ）ベースのシステムでありうるが、権利主張される主題は、それに制限されない。
【００３７】
アクセス端末２０２は、バッファ２０６および遅延バジェット・レポータ２０８を含みうる。バッファ２０６は、アップリンクによってアクセス端末２０２から基地局２０４へ送信されるべきデータを一時的に格納しうる。バッファ２０６は、ルーチン、ストレージ媒体等でありうる。これは、アクセス端末２０２から基地局２０４へとデータを転送する場合、データのフロー・レート、イベントの発生時間等における差分を補償しうる。例えば、データが到着すると、アップリンク割当が基地局２０４から得られるまで、アクセス端末２０２のバッファ２０６によって保持されうる。スケジューリングがなされると、アクセス端末２０２は、この割当に対応するアップリンク・リソースを用いてデータを送信しうる。
【００３８】
遅延バジェット・レポータ２０８は、バッファ２０６内に保持されたデータについて、ヘッド・オブ・ライン遅延バジェット情報を決定しうる。ヘッド・オブ・ラインは、データ（例えば、バッファ２０６内に保持されたデータ）のセットから最初に送信されるべきデータを称しうる。ヘッド・オブ・ライン遅延バジェットは、バッファ２０６内に保持された、最高緊急度を持つデータについての遅延限界を超える前に許容されうる最大遅延でありうる。一例によれば、バッファ２０６内に保持されたデータは、ラジオ・リンク制御（ＲＬＣ）サービス・データ・ユニット（ＳＤＵ）でありうる（例えば、ＲＬＣ  ＳＤＵは、圧縮されたインターネット・プロトコル（ＩＰ）パケットを含みうる）。この例によれば、遅延バジェット・レポータ２０８によって生成されたヘッド・オブ・ライン遅延バジェットは、最も緊急のＲＬＣ  ＳＤＵが、対応する遅延限界を超える前に許容しうる最大遅延でありうる。例示によれば、最も緊急のＲＬＣ  ＳＤＵは、ＲＬＣ  ＳＤＵのセットから、対応する遅延限界（例えば、最低の遅延バジェット）を超える前の最低の残り時間の最大量に関連付けられた特定のＲＬＣ  ＳＤＵでありうる。しかしながら、権利主張される主題は、それに限定されないことが認識されるべきである。さらに、最も緊急のＲＬＣ  ＳＤＵは、新たなＲＬＣ送信あるいはＲＬＣ再送信でありえる。さらに、ＲＬＣ  ＳＤＵが、バッファ２０６内に残っていると、（例えば、基地局２０４への送信前に待機していると）、そのようなＲＬＣ  ＳＤＵの遅延バジェットは、時間とともに減少し続ける場合がある。
【００３９】
アクセス端末２０２によって送信されるべきデータは、バッファ２０６内に保持される前に処理されうる。例えば、圧縮および／または暗号化は、パケット・データ制御プロトコル（ＰＤＣＰ）レイヤで、データについて有効とされうる。さらに、このデータはラジオ・リンク制御（ＲＬＣ）レイヤでフォーマットされうる。アップリンク送信のためにスケジュールされると、ＲＬＣレイヤは、信頼できるレイヤ２データ送信を提供する（例えば、ＲＬＣレイヤは、送信中に物理（ＰＨＹ）レイヤで導入される誤りを緩和しうる）。しかしながら、ＲＬＣ  ＳＤＵは、そのような送信のために基地局２０４がアクセス端末２０２をスケジュールするまで、アップリンクによって送信されない。したがって、単数または複数のＲＬＣ  ＳＤＵは、さまざまな期間中、バッファ２０６内に残りうる。遅延バジェット・レポータ２０８は、最も緊急のヘッド・オブ・ラインＲＣＬ  ＳＤＵの遅延バジェットが終了するまで存続する時間の量を測定しうる。さらに、遅延バジェット・レポータ２０８は、最も緊急なＲＬＣ  ＳＤＵのヘッド・オブ・ライン遅延バジェットに対応するインジケーションを、基地局２０４へ送信しうる。アクセス端末２０２が、例えば、ｘバイトのアップリンク許可を得る場合、１または複数のＲＬＣパケット・データ・ユニット（単数または複数のＰＤＵ）は、割り当てられたｘバイトの空間を埋めるように形成されうる。ＲＬＣ  ＳＤＵは、１つのＲＬＣ  ＰＤＵに適合することができ、ＲＬＣ  ＳＤＵのセグメントは、（例えば、バッファ２０６内に保持されるべき残りを残して）１つのＲＬＣ  ＰＤＵに適合することができることが考慮される。したがって、送信機（図示せず）がそのようなＲＬＣ  ＰＤＵを送信する準備ができている場合、アクセス端末２０２はＲＬＣ  ＰＤＵを形成しうる。
【００４０】
ＲＬＣ  ＳＤＵはおのおのの、バッファ２０６（例えば、ＰＤＣＰバッファ）に到着した場合、（例えば、遅延バジェット・レポータ２０８によって）タイム・スタンプされうる。例えば、タイム・スタンプは、ＳＤＵ破棄機能の一部として追加導入されうる。さらに、遅延バジェット・レポータ２０８が、引き算を行うことによって、残りの遅延バジェットを計算しうる。例えば、遅延バジェット・レポータ２０８は（例えば、バッファ２０２に保持されている間）、ＲＬＣ  ＳＤＵが遅延した現在の時間長さを特定するために、（遅延バジェットが評価されている）現在時間と、タイム・スタンプとの差を判定する。さらに、残りの遅延バジェットを得るために、ＲＬＣ  ＳＤＵが遅延した現在の時間長さが、遅延限界から減算されうる。この遅延限界は、例えば、品質クラス識別子（ＱＣＩ）で提供されうる。
【００４１】
遅延バジェット・レポータ２０８はさらに、遅延バジェット・レポータ２０８によって生成されたヘッド・オブ・ライン遅延バジェットの値に基づいて、媒体アクセス制御（ＭＡＣ）ヘッダをフォーマットするＭＡＣヘッダ生成器２１０を含みうる。例えば、ＭＡＣヘッダ生成器２１０は、遅延バジェット・レポータ２０８によって生成された遅延バジェットの遅延しきい値に対応する少なくとも１つの符号を含むように、ＭＡＣヘッダの少なくとも一部を構成しうる。ＭＡＣヘッダはおのおのの、予約された２ビットを含みうる。これら予約された２ビットは、遅延バジェットを基地局２０４へ示すために、遅延バジェット・レポータ２０８によって利用されうる。例えば、ＭＡＣヘッダ生成器２１０は、最も緊急のＲＣＬ  ＳＤＵ（例えば、ラジオ・ベアラ（ＲＢ）内の最も緊急のＲＬＣ  ＳＤＵ）の遅延バジェット情報を示すために、ＭＡＣヘッダに含まれる予約された２ビットの値を設定しうる。
【００４２】
例によれば、遅延限界は、（例えば、ＱＣＩで指定されるような）２００ミリ秒でありうる。遅延バジェット・レポータ２０８は、最も緊急なＲＬＣ  ＳＤＵのための遅延バジェットを決定しうる。この決定された遅延バジェットに基づいて、ＭＡＣヘッダ生成器２１０は、ＭＡＣヘッダにおける予約された２ビットの値を設定しうる。ここでは、これらの値は、決定された遅延バジェットに関連する遅延しきい値に対応する符号を与える。この例によれば、ＭＡＣヘッダ生成器２１０は、遅延バジェットが５０ｍｓ未満である場合、これらの２つのビットの値を‘００’に設定し、遅延バジェットが５０ｍｓ以上であるが１００ｍｓ未満である場合、‘０１’に設定し、遅延バジェットが１００ｍｓ以上であるが１５０ｍｓ未満である場合、‘１０’に設定し、遅延バジェットが１５０ｍｓを超える場合には‘１１’に設定する。しかしながら、前述したマッピングに加えて、あるいはその代わりに、遅延しきい値（例えば、遅延バジェット範囲）とＭＡＣヘッダ予約ビット値（例えば、符号）との間の任意のマッピングが適用されうることが認識されるべきである。さらに、２００ｍｓである遅延限界は、例示として与えられたものであり、権利主張される主題は、２００ｍｓに加えて、あるいは、その代わりの任意の遅延限界の適用をサポートすることが考慮される。
【００４３】
基地局２０４はさらに、遅延バジェット・フィードバック評価部２１２およびスケジューラ２１４を含みうる。遅延バジェット・フィードバック評価部２１２は、アクセス端末２０２（および／または、（図示しない）任意の別なアクセス端末）から得られた遅延バジェット・フィードバックを分析しうる。例えば、遅延バジェット・フィードバック評価部２１２は、アクセス端末２０２から受信したＭＡＣヘッダの一部（例えば、ＭＡＣヘッダに含まれる予約２ビット）によって搬送された符号によって示された遅延バジェット情報を識別しうる。例えば、遅延バジェット・フィードバック評価部２１２は、ＭＡＣヘッダ予約ビット値に対する遅延しきい値の予め定めたマッピングを適用しうる（例えば、このマッピングは、遅延バジェット情報のアップリンクによる送信前に、アクセス端末２０２および基地局２０４によって知られうる）。
【００４４】
前述の結果として、基地局２０４は、アクセス端末２０２から、最も緊急なＲＬＣ  ＳＤＵの最新の遅延バジェット情報を連続的に受信しうる。所与の時間において、少なくとも部分的に最新の遅延バジェット情報に基づいて、スケジューラ２１４が、アップリンク・ラジオ・リソースを、アクセス端末２０２（および／または任意の別のアクセス端末）へ割り当てうる。例えば、スケジューラ２１４は、少なくとも部分的に遅延バジェット情報に基づいて、アクセス端末２０２を含むアクセス端末を優先度付けしうる。さらに、スケジューラ２１４は、ラジオ条件、トラフィック量、ＱｏＳ要件（例えば、スループット、ビット誤り率、遅延限界）等に基づいて、ラジオ・リソース割当を生成しうる。
【００４５】
例によれば、遅延バジェット・レポータ２０８は、現在の伝送ブロックに含まれていない最も緊急なＲＬＣ  ＳＤＵの遅延バジェットにしたがって、ＭＡＣヘッダ内の予約２ビットの値を設定するために、ＭＡＣヘッダ生成器２１０を利用しうる。この例によれば、スケジューラ２１４は、アクセス端末２０２へアップリンク許可を送信しうる。このアップリンク許可は、アクセス端末２０２によってアップリンクで転送されうるビット数を示しうる。このビット数は、転送ブロックと称されうる。実例によれば、スケジューラ２１４によって生成されたアップリンク許可は、アクセス端末２０２によって利用されるべき１０００ビットからなる転送ブロックを割り当てうる。しかしながら、スケジューラ２１４によってアップリンク許可で割り当てられた転送ブロックの一部として、任意の数のビットが、アクセス端末２０２へ割り当てられうることが認識されるべきである。さらに、アクセス端末２０２は、さまざまなサービスを提供しうる。したがって、アクセス端末２０２は、サービス提供されるさまざまなサービスに関連して利用される転送ブロックのビット数全体をどのようにして分離するかを決定しうる。したがって、遅延バジェット・レポータ２０８は、バッファ２０６に保持され、現在の伝送ブロックの一部として送信されるべきではない（例えば、スケジューラ２１４によって割り当てられた次のアップリンク許可に応答して、次の転送ブロックの一部として送信されるべき）最も緊急のＲＬＣ  ＳＤＵを識別し、この最も緊急なＲＬＣ  ＳＤＵに対応する遅延バジェットが、現在の転送ブロック内でアクセス端末２０２によって送信されたＭＡＣヘッダ内の予約２ビットに基づいて符号化されうる。
【００４６】
次に図３に移って、無線通信環境において、ラジオ・ベアラ（ＲＢ）特有の遅延しきい値を設定するシステム３００が例示される。システム３００は、アクセス端末２０２および基地局２０４を含んでいる。アクセス端末２０２は、バッファ２０６および遅延バジェット・レポータ２０８を含みうる。遅延バジェット・レポータ２０８はさらに、ＭＡＣヘッダ生成器２１０を備えうる。さらに、基地局２０４は、遅延バジェット・フィードバック評価部２１２およびスケジューラ２１４を含みうる。
【００４７】
アクセス端末２０２および基地局２０４のおのおのはさらに、ラジオ・リソース制御（ＲＲＣ）を含みうる（例えば、アクセス端末２０２はＲＲＣ３０２を含み、基地局２０４はＲＲＣ３０４を含みうる）。ＲＲＣ３０２およびＲＲＣ３０４はおのおの、ユニバーサル・モバイル・テレコミュニケーション・システム（ＵＭＴＳ）広帯域符号分割多元接続（ＷＣＤＭＡ）プロトコル・スタックの一部であり、アクセス端末２０２とラジオ・アクセス・ネットワーク（例えば、基地局２０４、ラジオ・ネットワーク・コントローラ）との間のレイヤ３制御プレーン・シグナリングを取り扱う。例えば、ＲＲＣ３０２およびＲＲＣ３０４は、リソースがエア・インタフェースのアップリンク方向およびダウンリンク方向にどのようにして動的に割り当てられるのかを管理しうる。さらに、ＲＲＣ３０２およびＲＲＣ３０４は、例えば、システム情報のブロードキャスト、ページング（例えば、通知、リリース）、接続管理（例えば、確立、リリース）、モビリティ機能／手続き、ラジオ・ベアラ（ＲＢ）管理（例えば、確立、再構築、リリース）、測定レポートおよび制御等のようなさまざまな機能を実行しうる。
【００４８】
システム３００は、複合ラジオ・ベアラ・システムでありうる。ラジオ・ベアラ（ＲＢ）は、定義された容量、遅延、ビット誤り率等からなる情報パスでありうる。アクセス端末２０２は、１または複数のラジオ・ベアラにサービス提供しうる。さらに、アクセス端末２０２は、１または複数のラジオ・ベアラによるアップリンク・リソースの管理および／または共有のために、アップリンク・レート制御メカニズムを適用しうる。さらに、例えば、ラジオ・ベアラは、論理チャネルに対応しうる。
【００４９】
ＲＲＣ３０２および／またはＲＲＣ３０４は、ラジオ・ベアラ（ＲＢ）について遅延しきい値（例えば、ＲＢ特有のしきい値３０６、ＲＢ特有のしきい値３０８）を設定しうる。例えば、ＲＲＣ３０２および／またはＲＲＣ３０４によって、おのおののラジオ・ベアラ毎に、４つの遅延しきい値のセットがそれぞれ定義されうる。したがって、おのおののラジオ・ベアラは、（例えば、おのおののラジオ・ベアラに関連付けられたアプリケーションに依存して）、遅延範囲に対して感度をもつ変動する度合いを有しうるので、システム３００は、ＲＲＣ３０２および／またはＲＲＣ３０４が、ラジオ・ベアラ毎に４つの遅延しきい値を設定できるようにすることによって、柔軟性を提供しうる。
【００５０】
アクセス端末２０２の遅延バジェット・レポータ２０８は、ＲＢ特有のしきい値３０６を導入し、遅延バジェット・フィードバック評価部２１２は、ＲＢ特有のしきい値３０８を導入しうる。ＲＢ特有のしきい値３０６とＲＢ特有のしきい値３０８とは、実質的に同じでありうることが考慮される。実例によれば、遅延バジェット・レポータ２０８（および／または、ＭＡＣヘッダ生成器２１０）は、ＲＢ特有のしきい値３０６を用いて、ラジオ・ベアラに応じて遅延バジェットに対応するために、ＭＡＣヘッダに含まれる予約２ビットのための値を設定しうる。ＭＡＣヘッダは、ラジオ・ベアラに１対１にマップされた論理チャネル識別子（ＩＤ）を搬送しうる。さらに、遅延バジェット・フィードバック評価部２１２は、アクセス端末２０２から受信したＭＡＣヘッダに含まれる予約２ビットの値に基づいて、遅延バジェットを決定しうる。例えば、遅延バジェット・フィードバック評価部２１２は、受信したＭＡＣヘッダによって搬送された論理チャネルＩＤを認識し、認識された論理チャネルＩＤにマップするラジオ・ベアラを決定し、ＭＡＣヘッダに含まれる予約２ビットの値と、ＲＢ特有のしきい値３０８とに基づいて、決定されたラジオ・ベアラに特有の遅延しきい値を判読しうる。
【００５１】
例によれば、第１のラジオ・ベアラが、第１のサービス（例えば、ウェブ・ブラウザ・サービス）に関連付けられ、第２のラジオ・ベアラが、第２のサービス（例えば、ファイル転送プロトコル（ｆｔｐ）サービス）に関連付けられうる。ＲＲＣ３０２および／またはＲＲＣ３０４は、第１のラジオ・ベアラ（例えば、５０ｍｓ未満、５０ｍｓ以上１００ｍｓ未満、１００ｍｓ以上１５０ｍｓ未満、１５０ｍｓ以上）のための第１のセットの遅延しきい値と、第２のラジオ・ベアラ（例えば、１００ｍｓ未満、１００ｍｓ以上２００ｍｓ未満、２００ｍｓ以上３００ｍｓ未満、３００ｍｓ以上）のための第２のセットの遅延しきい値とを定義しうる。両セットの遅延しきい値は、本明細書に記載されたような用途のため、ＲＢ特有のしきい値３０６と、ＲＢ特有のしきい値３０８との両方に含まれうる。任意の数のラジオ・ベアラに対応する任意の数の遅延しきい値のセットが、ＲＲＣ３０２および／またはＲＲＣ３０４によって定義されるようなＲＢ特有のしきい値３０６およびＲＢ特有のしきい値３０８に含まれうることが考慮される。
【００５２】
図４および図５を参照して、無線通信環境におけるアップリンク遅延バジェット・フィードバックの提供および適用に関する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示された全ての動作が必要とされる訳ではない。
【００５３】
図４に示すように、無線通信環境においてアップリンク遅延バジェット・フィードバックを提供することを容易にする方法４００が図示される。４０２では、複数のラジオ・リンク制御（ＲＬＣ）サービス・データ・ユニット（ＳＤＵ）から、最低の遅延バジェットが決定されうる。遅延バジェットは、対応する遅延限界を超える前に、アップリンクで送信されずにバッファ内に保持されるべきＲＬＣ  ＳＤＵの残り時間の最大量でありうる。例えば、最低の遅延バジェットは、アクセス端末のバッファ内に保持された複数のＲＬＣ  ＳＤＵからの最も緊急なＲＬＣ  ＳＤＵに対応しうる。例によれば、最低の遅延バジェットは、複数のＲＬＣ  ＳＤＵから最初に送信されるべきＲＬＣ  ＳＤＵに対応するヘッド・オブ・ライン遅延バジェットでありうる。別の例によれば、最低の遅延バジェットは、ラジオ・ベアラ内の最も緊急なＲＬＣ  ＳＤＵに対応しうる。
【００５４】
４０４では、媒体アクセス制御（ＭＡＣ）ヘッダの一部が、最低の遅延バジェットの遅延しきい値に対応する少なくとも１つの符号を含むように設定されうる。例によれば、ＭＡＣヘッダ内の予約のビット（例えば、予約２ビット）の値は、（例えば、最も緊急なＲＬＣ  ＳＤＵに関連付けられた、あるいはラジオ・ベアラ内の）最低の遅延バジェットの遅延しきい値を示すために設定されうる。遅延しきい値は、最低の遅延バジェットを含む遅延バジェットの範囲でありうる。例えば、予約２ビットの値は、現在の伝送ブロックに含まれない最も緊急のＲＬＣ  ＳＤＵの残りの遅延バジェットにしたがって設定されうる。さらに、遅延しきい値と符号（例えば、ＭＡＣヘッダ予約ビット値）との間の（例えば、ラジオ・リソース制御（ＲＲＣ）によって設定された、あるいは、予め定義された）マッピングは、ＭＡＣヘッダに含まれる少なくとも１つの符号のうちの１または複数の選択するために適用されうる。一例によれば、おのおののラジオ・ベアラは、遅延しきい値と符号との間のマッピングそれぞれに関連付けられうる。例えば、４つの遅延しきい値おのおのに、４つの符号（例えば、ＭＡＣヘッダ確保ビット値、‘００’／‘０１’／‘１０’／‘１１’）のうちの１つをそれぞれ関連付けるマッピングは、ラジオ・ベアラ毎にＲＲＣによって設定されうる。この例によれば、特定のラジオ・ベアラへ１対１にマップされた論理チャネル識別子が、ＭＡＣヘッダに含まれうる。そして、遅延しきい値と、特定のラジオ・ベアラに対応する符号との間の特定のマッピングが、ＭＡＣヘッダに含まれる少なくとも１つの符号のうちの１または複数を選択するために利用されうる。
【００５５】
４０６では、ＭＡＣヘッダが、基地局へ送信されうる。図示していないが、（例えば、ＭＡＣヘッダによって搬送された遅延バジェット情報に応じて基地局によって生成された）その後のアップリンク許可が、基地局から取得され、方法４００は、その後のアップリンク許可に対応する次の伝送ブロックのために、４０２へ戻ることが考慮される。
【００５６】
図５に移って、無線通信環境において、アップリンク遅延バジェット・フィードバックを取得することを容易にする方法５００が例示される。５０２において、アクセス端末から媒体アクセス制御（ＭＡＣ）ヘッダが受信されうる。ＭＡＣヘッダは、現在の伝送ブロックの一部としてアクセス端末から取得されうる。５０４において、ＭＡＣヘッダの一部によって搬送された符号が検出されうる。例えば、この符号は、ＭＡＣヘッダの予約ビット（例えば、予約２ビット）によって搬送されうる。したがって、ＭＡＣヘッダに含まれた予約ビットの値が認識されうる。
【００５７】
５０６において、この符号に対応する遅延しきい値が決定されうる。遅延しきい値は、アクセス端末のバッファに保持されるラジオ・リンク制御（ＲＬＣ）サービス・データ・ユニット（ＳＤＵ）のセットからの、特定のラジオ・リンク制御（ＲＬＣ）サービス・データ・ユニット（ＳＤＵ）に関連付けられた最低の遅延バジェットを含む範囲でありうる。例えば、特定のＲＬＣ  ＳＤＵは、（例えば、所与のラジオ・ベアラ内の、現在の伝送ブロックに含まれていない）最も緊急のＲＬＣ  ＳＤＵでありうる。ＭＡＣヘッダの予約ビット（例えば、予約２ビット）によって符号が搬送される例によれば、遅延しきい値が、検出された予約ビットの値に応じて特定されうる。この例によれば、遅延しきい値と符号（例えば、ＭＡＣヘッダ予約ビット値）との間の（例えば、ラジオ・リソース制御（ＲＲＣ）によって設定された、あるいは予め定義された）マッピングが、ＭＡＣヘッダに含まれる符号（例えば、予約２ビット）に基づいて、遅延しきい値を決定するために適用されうる。さらなる例によれば、おのおののラジオ・ベアラは、遅延しきい値と符号との間のそれぞれのマッピングにそれぞれ関連付けられうる。例えば、４つの遅延しきい値おのおのを、４つの符号（例えば、ＭＡＣヘッダ予約ビット値、‘００’／‘０１’／‘１０’／‘１１’）のうちのそれぞれ１つに関連付けるマッピングが、ラジオ・ベアラ毎にＲＲＣによって設定されうる。この例によれば、特定のラジオ・ベアラに１対１にマップされた論理チャネル識別子が、ＭＡＣヘッダから認識され、遅延しきい値と特定のラジオ・ベアラに対応する符号との間の特定のマッピングが、ＭＡＣヘッダの一部によって搬送された符号に基づいて、遅延しきい値を判読するために適用されうる。５０８では、アクセス端末が、少なくとも部分的に遅延しきい値に基づいて、アップリンク送信のためにスケジュールされうる。スケジューリングは、それに加えて、あるいは、その代わりに、少なくとも部分的にラジオ条件、トラフィック・ボリューム、サービス品質（ＱｏＳ）（例えば、スループット、ビット誤り率）の別の態様等に基づきうる。
【００５８】
本明細書に記載された１または複数の態様によれば、無線通信環境におけるアップリンク遅延バジェット・フィードバックの提供および／または適用に関して推論がなされうることが認識されうる。本明細書で使用されるように、「推論する」または「推論」という用語は一般に、イベントおよび／またはデータによって取得されるような観察のセットから、システム、環境、および／または、ユーザの状態を推理または推論するプロセスを称する。推論は、特定の文脈または動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００５９】
例によれば、上述された１または複数の方法は、最も緊急なＲＬＣ  ＳＤＵを識別するために、アップリンクによる送信のためにアクセス端末のバッファに保持されたＲＬＣ  ＳＤＵの順序を最適化することに関して推論を行うことを含みうる。さらなる例によれば、符号とラジオ・ベアラ毎の遅延しきい値との間のマッピングのための最適化された遅延バジェット範囲を決定することに関して推論がなされうる。前述した例は本質的には例示的であり、本明細書に記載されたさまざまな実施形態および／または方法と連携してなされうる推論の数、あるいは、そのような推論がなされる方式を限定することは意図されていないことが認識されるだろう。
【００６０】
図６は、無線通信システムにおいて、アップリンク遅延バジェット・フィードバックを生成するアクセス端末６００の実例である。アクセス端末６００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機６０２を備えうる。受信機６０２は、例えばＭＭＳＥ受信機であり、受信したシンボルを復調し、それらをチャネル推定のためにプロセッサ６０６へ送る復調器６０４を備えうる。プロセッサ６０６は、受信機６０２によって受信された情報を分析すること、および／または、送信機６１８による送信のための情報を生成することに特化されたプロセッサ、アクセス端末６００の１または複数の構成要素を制御するプロセッサ、および／または、受信機６０２によって受信された情報を分析することと、送信機６１６による送信のための情報を生成することと、アクセス端末６００のうちの１または複数の構成要素を制御することとのすべて行うプロセッサでありうる。
【００６１】
アクセス端末６００は、プロセッサ６０６に動作可能に接続されたメモリ６０８をさらに備える。このメモリは、送信されるべきデータ、受信したデータ、および、本明細書に記載されたさまざまな動作および機能を実行することに関連するその他任意の適切な情報を格納しうる。メモリ６０８は、例えば、遅延バジェット情報を判定すること、および／または、示すことに関連付けられたプロトコルおよび／またはアルゴリズムを格納しうる。メモリ６０８はさらに、アップリンクで送信されるべきＲＬＣ  ＳＤＵを保持しうる。しかしながら、権利主張される主題は、そのようには限定されない（例えば、アクセス端末６００は、図２のバッファ２０６に実質的に類似したバッファ（図示せず）を含み、そのようなバッファが、メモリ６０８に含まれていたり、メモリ６０８と分離していたり、それらの組み合わせ等でありうる。）。
【００６２】
本明細書に記載されたデータ・ストア（例えば、メモリ６０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ６０８は、限定される訳ではないが、これらおよびその他任意の適切なタイプのメモリを備えることが意図される。
【００６３】
プロセッサ６０６は、遅延バジェット・レポータ６１０および／またはＭＡＣヘッダ生成器６１２と動作可能に接続しうる。遅延バジェット・レポータ６１０が、図２の遅延バジェット・レポータ２０８と実質的に類似しているか、および／または、ＭＡＣヘッダ生成器６１２が、図２のＭＡＣヘッダ生成器２１０と実質的に類似している。遅延バジェット・レポータ６１０と別に示されているが、遅延バジェット・レポータ６１０は、ＭＡＣヘッダ生成器６１２を含みうることが考慮される。遅延バジェット・レポータ６１０は、最も緊急のＲＬＣ  ＳＤＵのヘッド・オブ・ライン遅延バジェットを決定しうる。さらに、遅延バジェット・レポータ６１０は、アクセス端末６００から転送されるのを待っている複数の別のＲＬＣ  ＳＤＵの遅延バジェットを検出しうる。ＭＡＣヘッダ生成器６１２は、最も緊急のＲＬＣ  ＳＤＵのヘッド・オブ・ライン遅延バジェットに対応する符号を含むようにＭＡＣヘッダの一部を設定しうる。例えば、ＭＡＣヘッダ生成器６１２は、予約２ビットによって搬送される２ビット符号をＭＡＣヘッダへ組み入れうる。この符号は、最も緊急なＲＬＣ  ＳＤＵのヘッド・オブ・ライン遅延バジェットを含む遅延バジェットの範囲である遅延しきい値に対応しうる。例示によれば、遅延バジェット・レポータ６１０は、現在の伝送ブロックに含まれない最も緊急のＲＬＣ  ＳＤＵの遅延バジェット情報を示しうる。図示していないが、アクセス端末６００は、図３のＲＲＣ３０２に実質的に類似しうるＲＲＣを含みうることが考慮される。さらに、４つの遅延しきい値の符号（たとえば、ＭＡＣヘッダの予約ビットの値）に対するマッピングが、たとえば、ラジオ・ベアラ毎のＲＲＣによって設定されうる。アクセス端末６００はさらに、変調器６１４と、データ、信号等を基地局へ送信する送信機６１６とを備える。プロセッサ６０６と別に示されているが、遅延バジェット・レポータ６１０、ＭＡＣヘッダ生成器６１２、および／または、変調器６１４は、プロセッサ６０６または多くのプロセッサ（図示せず）の一部でありうることが認識されるべきである。
【００６４】
図７は、無線通信環境において、アップリンク遅延バジェット・フィードバックを適用するシステム７００の実例である。システム７００は、複数の受信アンテナ７０６を介して１または複数のアクセス端末７０４から信号を受信する受信機７１０を備えた基地局７０２（例えば、アクセス・ポイント）と、送信アンテナ７０８を介して１または複数のアクセス端末７０４へ信号を送信する送信機７２４と、を備える。受信機７１０は、受信アンテナ７０６から情報を受信する。さらに、受信した情報を復調する復調器７１２と動作可能に関連付けられている。復調されたシンボルは、図６に関して上述したプロセッサに類似し、メモリ７１６に接続されたプロセッサ７１４によって分析されうる。メモリ７１６は、アクセス端末７０４へ送信されるべきデータ、あるいは、アクセス端末７０４から受信したデータ、および／または、本明細書に記載されたさまざまな動作および機能を実行することに関連するその他任意の適切な情報を格納する。プロセッサ７１４はさらに、アクセス端末７０４からの遅延バジェット関連フィードバックを認識するために、受信したＭＡＣヘッダを分析する遅延バジェット・フィードバック評価部７１８に接続されている。さらに、基地局７０２は、受信したＭＡＣヘッダから識別した遅延バジェット関連フィードバックに応じて、アップリンク・リソースをアクセス端末７０４へ割り当てるスケジューラ７２０を含みうる。遅延バジェット・フィードバック評価部７１８が、図２の遅延バフェット・フィードバック評価部２１２に実質的に類似しているか、および／または、スケジューラ７２０が、図２のスケジューラ２１４に実質的に例示しうることが認識されるべきである。さらに、図示していないが、基地局７２０は、図３のＲＲＣ３０４に実質的に類似しうるＲＲＣを含みうることが考慮される。基地局７０２はさらに、変調器７２２を含みうる。変調器７２２は、前述の説明にしたがって、送信機７２４によるアンテナ７０８を介したアクセス端末７０４への送信のために、フレームを多重化しうる。プロセッサ７１４と別に示されているが、遅延バジェット・フィードバック評価部７１８、スケジューラ７２０、および／または、変調器７２２は、プロセッサ７１４または多くのプロセッサ（図示せず）の一部でありうることが認識されるべきである。
【００６５】
図８は、無線通信システム８００の例を示す。無線通信システム８００は、簡潔さの目的のため、１つの基地局８１０と１つのアクセス端末８５０しか示していない。しかしながら、システム８００は、１より多い基地局、および／または、１より多いアクセス端末を含みうることが認識されるべきである。ここで、追加の基地局および／またはアクセス端末は、以下に示す基地局８１０およびアクセス端末８５０の例と実質的に類似しうるか、あるいは、異なりうる。さらに、基地局８１０および／またはアクセス端末８５０は、その間の無線通信を容易にするために、本明細書に記載されたシステム（図１−３、６−７、および９−１０）および／または方法（図４−５）を適用しうることが認識されるべきである。
【００６６】
基地局８１０では、多くのデータ・ストリームのためのトラフィック・データが、データ・ソース８１２から送信（ＴＸ）データ・プロセッサ８１４へ提供される。一例によれば、おのおののデータ・ストリームが、それぞれのアンテナを介して送信される。ＴＸデータ・プロセッサ８１４は、トラフィック・データ・ストリームをフォーマットし、このデータ・ストリームのために選択された特定の符合化スキームに基づいて符号化し、インタリーブして、符合化されたデータを提供する。
【００６７】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは、一般には、周知の方式で処理される既知のデータ・パターンであり、チャネル応答を推定するために、アクセス端末８５０において使用されうる。おのおののデータ・ストリームについて多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ８３０によって実行または提供される指示によって決定されうる。
【００６８】
データ・ストリームの変調シンボルは、（例えば、ＯＦＤＭのために）変調シンボルを処理するＴＸ  ＭＩＭＯプロセッサ８２０に提供される。ＴＸ  ＭＩＭＯプロセッサ８２０はその後、ＮＴ個の変調シンボル・ストリームを、ＮＴ個の送信機（ＴＭＴＲ）８２２ａ乃至８２２ｔへ提供する。さまざまな実施形態において、ＴＸ  ＭＩＭＯプロセッサ８２０は、データ・ストリームのシンボル、および、そのシンボルが送信されるアンテナへ、ビームフォーミング重みを適用する。
【００６９】
おのおのの送信機８２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機８２２ａ乃至８２２ｔからのＮＴ個の変調信号は、ＮＴ個のアンテナ８２４ａ乃至８２４ｔそれぞれから送信される。
【００７０】
アクセス端末８５０では、送信された変調信号が、ＮＲ個のアンテナ８５２ａ乃至８５２ｒによって受信され、受信された信号がおのおののアンテナ８５２からそれぞれの受信機（ＲＣＶＲ）８５４ａ乃至８５４ｒへ提供される。おのおのの受信機８５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００７１】
ＲＸデータ・プロセッサ８６０は、ＮＲ個の受信機８５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ８６０は、検出されたおのおののシンボル・ストリームを復調し、デインタリーブし、復号して、そのデータ・ストリームのためのトラフィック・データを復元する。ＲＸデータ・プロセッサ８６０による処理は、基地局８１０におけるＴＸ  ＭＩＭＯプロセッサ８２０およびＴＸデータ・プロセッサ８１４によって実行されるものと相補的である。
【００７２】
プロセッサ８７０は、上述したように、利用可能などの技術を利用するのかを定期的に決定する。さらに、プロセッサ８７０は、行列インデクス部およびランク値部を備えた逆方向リンク・メッセージを規定することができる。
【００７３】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース８３６から受け取るＴＸデータ・プロセッサ８３８によって処理され、変調器８８０によって変調され、送信機８５４ａ乃至８５４ｒによって調整され、基地局８１０へ送り戻される。
【００７４】
基地局８１０では、アクセス端末８５０からの変調信号が、アンテナ８２４によって受信され、受信機８２２によって調整され、復調器８４０によって復調され、ＲＸデータ・プロセッサ８４２によって処理されて、アクセス端末８５０によって送信された逆方向リンク・メッセージを抽出する。さらに、プロセッサ８３０は、ビームフォーミング重みを決定するためにどの事前符合化行列を使用するかを決定するために、この抽出されたメッセージを処理する。
【００７５】
プロセッサ８３０およびプロセッサ８７０は、基地局８１０およびアクセス端末８５０それぞれにおける動作を指示（例えば、制御、調整、管理等）する。プロセッサ８３０およびプロセッサ８７０はそれぞれ、プログラム・コードおよびデータを格納するメモリ８３２およびメモリ８７２に関連付けられうる。プロセッサ８３０およびプロセッサ８７０はまた、アップリンクおよびダウンリンクそれぞれのための周波数およびインパルス応答推定値を導出する計算をも実行する。
【００７６】
態様では、論理チャネルが、制御チャネルとトラフィック・チャネルとに分類される。論理制御チャネルは、システム制御情報をブロードキャキャストするためのＤＬチャネルであるブロードキャスト制御チャネル（ＢＣＣＨ）を含みうる。さらに、論理制御チャネルは、ページング情報を転送するＤＬチャネルであるページング制御チャネル（ＰＣＣＨ）を含みうる。さらに、論理制御チャネルは、１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）を備えうる。一般に、ラジオ・リソース制御（ＲＲＣ）接続を確立した後、このチャネルは、ＭＢＭＳ（例えば、旧ＭＣＣＨ＋ＭＳＣＨ）を受信するＵＥによってのみ使用される。さらに、論理制御チャネルは、専用制御情報を送信するポイント・トゥ・ポイント双方向チャネルであり、ＲＲＣ接続を有するＵＥによって使用される専用制御チャネル（ＤＣＣＨ）を含みうる。態様では、論理トラフィック・チャネルは、ユーザ情報を転送するために、１つのＵＥに専用のポイント・トゥ・ポイント双方向チャネルである専用トラフィック・チャネル（ＤＴＣＨ）を備える。さらに、論理トラフィック・チャネルは、トラフィック・データを送信するポイント・トゥ・マルチポイントＤＬチャネルのためのマルチキャスト・トラフィック・チャネル（ＭＴＣＨ）をも含みうる。
【００７７】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされることにより、および、他の制御／トラフィック・チャネルのために使用されうる物理レイヤ（ＰＨＹ）リソースにマップされることにより、ＵＥ節電をサポートする（例えば、不連続受信（ＤＲＸ）サイクルが、ネットワークによってＵＥへ示される）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。
【００７８】
ＰＨＹチャネルは、ＤＬチャネルとＵＬチャネルとのセットを備える。例えば、ＤＬ  ＰＨＹチャネルは、共通パイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、および／または、負荷インジケータ・チャネル（ＬＩＣＨ）を含みうる。さらなる実例として、ＵＬ  ＰＨＹチャネルは、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、および／またはブロードキャスト・パイロット・チャネル（ＢＰＩＣＨ）を含みうる。
【００７９】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００８０】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データ等は、メモリ共有、メッセージ引渡し、トークン引渡、ネットワーク送信等を含む任意の適切な手段を用いて引渡、転送、あるいは送信されうる。
【００８１】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００８２】
図９を参照して、無線通信環境において、遅延バジェットに関連するフィードバックを基地局へシグナリングすることを可能にするシステム９００が例示される。例えば、システム９００は、アクセス端末内に存在しうる。システム９００は、プロセッサ、ソフトウェア、またはそれらの組み合わせ（例えば、ファームウェア）によって実現される機能を表す機能ブロックでありうる機能ブロックを含むものとして示されることが認識されるべきである。システム９００は、連携して動作しうる電子構成要素の論理グループ９０２を含む。例えば、論理グループ９０２は、アップリンク送信を待っているバッファに保持されたＲＬＣ  ＳＤＵのセットから、最低の遅延バジェットを持つラジオ・リンク制御（ＲＬＣ）サービス・データ・ユニット（ＳＤＵ）を識別するための電子構成要素９０４を含みうる。さらに、論理グループ９０２は、最低の遅延バジェットに関連付けられた遅延しきい値に対応する符号を含むように媒体アクセス制御（ＭＡＣ）ヘッダの一部を設定するための電子構成要素９０６を含みうる。さらに、論理グループ９０２は、ＭＡＣヘッダを基地局へ送信するための電子構成要素９０８を含みうる。論理グループ９０２は、遅延しきい値と符号との間のマッピングに基づいて、ＭＡＣヘッダ内に含める符号を選択するための電子構成要素９１０をも含みうる。さらに、システム９００は、電子構成要素９０４、９０６、９０８、９１０に関連付けられた機能を実行するための命令群を保持するメモリ９１２を含みうる。メモリ９１２の外側にあるとして示されているが、電子構成要素９０４、９０６、９０８、９１０のうちの１または複数は、メモリ９１２内に存在しうることが理解されるべきである。
【００８３】
図１０を参照して、無線通信環境において、アクセス端末から遅延バジェットに関連するフィードバックを取得することを可能にするシステム１０００が図示される。例えば、システム１０００は、基地局内に少なくとも部分的に存在しうる。システム１０００は、プロセッサ、ソフトウェア、またはそれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。例えば、論理グループ１００２は、アクセス端末から媒体アクセス制御（ＭＡＣ）ヘッダを受信するための電子構成要素１００４を含みうる。さらに、論理グループ１００２は、ＭＡＣヘッダのビットのサブセットによって搬送された符号を検出するための電子構成要素１００６を含みうる。さらに、論理グループ１００２は、符号に対応する遅延しきい値を判読するための電子構成要素１００８を含みうる。遅延しきい値は、例えば、アクセス端末のバッファに保持されたラジオ・リンク制御（ＲＬＣ）サービス・データ・ユニット（ＳＤＵ）のヘッド・オブ・ライン遅延バジェットに関連しうる。それに加えて、論理グループ１００２は、遅延しきい値に応じてアップリンク送信のためにアクセス端末をスケジューリングするための電子構成要素１０１０をオプションで含みうる。さらに、システム１０００は、電子構成要素１００４、１００６、１００８、１０１０に関連付けられた機能を実行するための命令群を保持するメモリ１０１２を含みうる。メモリ１０１２の外側にあると示されているが、電子構成要素１００４、１００６、１００８、１０１０のうちの１または複数は、メモリ１０１２内に存在しうることが理解されるべきである。
【００８４】
上述したものは、１または複数の実施形態の一例を含んでいる。もちろん、上述した実施形態を説明する目的で、構成要素または方法の考えられる全ての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのような全ての変更、修正、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
【図１】
2011511587.tif 000003
【図２】
2011511587.tif 000004
【図３】
2011511587.tif 000005
【図４】
2011511587.tif 000006
【図５】
2011511587.tif 000007
【図６】
2011511587.tif 000008
【図７】
2011511587.tif 000009
【図８】
2011511587.tif 000010
【図９】
2011511587.tif 000011
【図１０】
2011511587.tif 000012
【国際調査報告】
2011511587.tif 000013
2011511587.tif 000014
2011511587.tif 000015